(57)【特許請求の範囲】
【請求項１】
腰部近傍から下半身の一部をカバーして股部を有しており股下部と膝頭にかけての中間位置まで、または足首までの下半身に着圧着用する伸縮性生地からなるパンツにおいて、
該パンツは全体が伸縮性生地の伸度が強いハイパワー部を有する生地にて製作されており、パンツ全体は右身頃と左身頃の縫合部を中心に伸縮性生地の編み方向を左右対称としたバイアス方向に配置するものであり、
該伸縮性生地の伸度は、生地の目方向における経伸びが小さく、緯伸びが該経伸びより大きく、
右身頃の股下大腿部及び左身頃の股下大腿部にそれぞれ鉛直に延びる縫製部を有するものであり、
着用により縫製部が斜め方向にずれ、着用者が該縫製部を鉛直方向に直そうと自己補正するため、内施方向に捻じる力が発生し、該内施機能を有するハイパワーのサポート力を意識して姿勢をコントロールすることを特徴とする姿勢をコントロールするためのインナーパンツ。
【請求項２】
該パンツ全体は、伸縮性生地の伸度が強いハイパワー部を有する生地と、伸縮性生地の伸度が弱いソフトパワー部を有する生地とで製作されていることを特徴とする請求項１記載の姿勢をコントロールするためのインナーパンツ。
【請求項３】
パンツ前面股下部から両膝頭部の略上部にかけた部分、並びにパンツ両側面股下部からそれぞれの膝頭頭部の略上部にかけた部分に、それぞれ一対のソフトパワー部を配置することを特徴とする請求項２に記載された姿勢をコントロールするためのインナーパンツ。
【請求項４】
更に、パンツの後ろ面尻溝より上部の臀部膨らみ部の両側に、一対のソフトパワー部を設けたことを特徴とする請求項３に記載された姿勢をコントロールするためのインナーパンツ。
【請求項５】
該パンツは、左身頃と右身頃の生地とパンツ前部に位置する逆三角形の腹部からなる３枚の生地を縫製にて一体形状に構成し、該パンツ前部に位置する逆三角形の腹部は横方向に伸びにくい伸度の強い生地にて構成されていることを特徴とする請求項１乃至請求項４の何れかに記載された姿勢をコントロールするためのインナーパンツ。
【請求項６】
前記パンツの裾端部は、切りっぱなしのフラット形状となし、更に編み密度を変えた切り替えがされていることを特徴とする請求項１乃至請求項５の何れかに記載された姿勢をコントロールするためのインナーパンツ。
【請求項７】
前記伸縮性を有する生地は、ナイロン、ポリエステル、ポリウレタンの混紡でできた吸汗糸から構成されることを特徴とする請求項１乃至請求項６の何れかに記載された姿勢をコントロールするためのインナーパンツ。
【発明の詳細な説明】
【技術分野】
【０００１】
本発明は、男女のインナーパンツや、アウターパンツ、スパッツ型水着等に採用され着用者の姿勢をコントロールする下衣に関するものであり、本発明の目的は、着用することで主に腰部から大腿部にかけた部位に内旋機能を有するハイパワーのサポート力をかけることができ、該内旋機能を有するハイパワーのサポート力にて着用者の姿勢をコントロールすることにより体形を補正することのできる下衣を提供するものである。
【背景技術】
【０００２】
従来、スポーツウェアにおいて、着用者に被服圧を加えることにより、筋力の補強や筋力を強化して運動機能の増大を促すウェアが知られている。
【０００３】
然しながら、本発明の如くライフスタイルの中で、例えば、朝から晩まで、長時間に亘って着用できる下衣、例えば、インナーパンツ等において、該インナーパンツを着用することにより、特に腰部から大腿部にかけた部位に内旋機能を有するハイパワーからなるサポート力をかけることが可能であり、インナーパンツの着用者がインナーパンツの着用時に腰部から大腿部にかけての部位に内旋機能を有するハイパワーのサポート力を意識して姿勢をコントロールすることにより体形を補正することのできるパンツを提供するものは皆無であった。
【発明の開示】
【発明が解決しようとする課題】
【０００４】
日常生活の中でも、一日中、立っている仕事、或いは同一の姿勢をとり続ける仕事は意外に多い。同一の姿勢をとり続けた結果、疲れがでてくると、疲労により骨盤が前傾や後傾しやすくなって腰痛が生じたり、上半身の荷重が支えられなくなって腰のねじり動作がスムーズに行かないといった動きの制限や、姿勢が悪くなって前屈み状態に陥り、放置しておくと、骨格自体が変形してしまい美しい姿勢が失われることになる。
【０００５】
而して、本発明の下衣は、ライフスタイルの中で、例えば、朝から晩まで長時間に亘って着用でき、また、着用することにより、腰部から大腿部にかけての部位に内旋機能を有するハイパワーのサポート力をかけることができ、該内旋機能を有するハイパワーのサポート力を着用者が意識して姿勢をコントロールすることにより体形を補正することのできる下衣を提供するもので、以下に本発明の具体的構成は、インナーパンツを例にして詳説する。
【０００６】
本発明のインナーパンツは、例えば、経編みや丸編みその他、殊にはラッセル編み機による経編みを用いてその経編の切り替えしにより左身頃と右身頃の縫合部を一体成型され、或いは左身頃と右身頃の縫合部を縫製により一体形状に形成して腰部近傍から下半身の一部をカバーして股部を有しており股下部と膝頭にかけての中間位置まで、または足首までの下半身に密着して着用する伸縮性生地からなるパンツにおいて、該パンツは全体が伸縮性生地の伸度が強いハイパワー部を有する生地にて製作されていると共に左身頃と右身頃の生地を編みの切り替えしにより一体成型、或いは縫製にて一体形状に構成されている。
【０００７】
そして、前記一体成型、或いは一体形状に構成されたパンツ全体は前記縫合部を中心に伸縮性生地の編み方向を左右対称としたバイアス方向に配置することで着用者に対して内旋機能を有した強いハイパワーのサポート力を発揮可能となし、前記パンツを伸張して着用するとパンツを構成する伸縮性生地は内旋機能を有した強いハイパワーのサポート力を着用者に与えることになり、該パンツの着用者は下半身に加わる前記ハイパワー部のサポート力を意識して姿勢をコントロールすることにより体形を補正できるインナーパンツを提供するものである。
【０００８】
また、本発明のインナーパンツにおいて、前記一体成型、或いは一体形状に構成されたパンツは、伸縮性生地の伸度が強いハイパワー部を有する生地と、伸縮性生地の伸度が弱いソフトパワー部を有する生地部にて必要部位を製作されていると共に左身頃と右身頃の生地を編みの切り替えしにより一体成型、或いは縫製にて一体形状に構成し、該伸度が強いハイパワー部を有する生地部と伸度が弱いソフトパワー部を有する生地部は前記縫合部を中心に伸縮性生地の編み方向を左右対称としたバイアス方向に配置することで着用者に対して内旋機能を有した強いハイパワーのサポート力を発揮可能となし、また前記伸縮性生地のハイパワー部と伸縮性生地の弱いソフトパワー部は伸度の強弱差を有してパンツ着用者の下半身に加わるハイパワーのサポート力をよりはっきりと意識でき、該ハイパワー部のサポート力を意識して姿勢をコントロールすることにより体形を補正できるインナーパンツを提供するものである。
【０００９】
更に、本発明のインナーパンツは伸縮性生地の伸度が強いハイパワー部と伸縮性生地の伸度が弱いソフトパワー部にて必要部位を構成され、パンツ前面股下部から両膝頭部の略上部にかけた部分、並びにパンツ両側面股下部からそれぞれの膝頭頭部の略上部にかけた部分にそれぞれ一対のソフトパワー部を配置し、前記パンツを伸張して着用すると内旋機能を生じるように構成されている。
【００１０】
そして、本発明のインナーパンツは、前記伸縮性生地の伸度が強いハイパワー部と伸縮性生地の伸度が弱いソフトパワー部にて必要部位を構成され、更にパンツの後ろ面尻溝より上部の臀部膨らみ部の両側に一対のソフトパワー部を設け、またパンツ前面股下部から両膝頭部の略上部にかけた部分、並びにパンツ両側面股下部からそれぞれの膝頭頭部の略上部にかけた部分にそれぞれ一対のソフトパワー部を配置し、該ソフトパワー部と前記ハイパワー部とからなる部位の強弱のパワー差を着用者が意識して姿勢をコントロールすることにより体形を補正することが可能に構成されているインナーパンツを提供するものである。
【課題を解決するための手段】
【００１１】
本発明は、経編みや丸編みその他、殊にはラッセル編み機による経編みを用いてその経編の切り替えしにより左身頃と右身頃の縫合部を一体成型され、或いは左身頃と右身頃の縫合部を縫製により一体形状に形成して腰部近傍から下半身の一部をカバーして股部を有しており股下部と膝頭にかけての中間位置まで、または足首までの下半身に密着して着用する伸縮性生地からなるパンツにおいて、該パンツは全体が伸縮性生地の伸度が強いハイパワー部を有する生地にて製作されていると共に左身頃と右身頃の生地を編みの切り替えしにより一体成型、或いは縫製にて一体形状に構成し、該一体成型、或いは一体形状に構成されたパンツ全体は前記縫合部を中心に伸縮性生地の編み方向を左右対称としたバイアス方向に配置することで着用者に対して内旋機能を有した強いハイパワーのサポート力を発揮可能となし、前記パンツを伸張して着用するとパンツを構成する伸縮性生地は内旋機能を有した強いハイパワーのサポート力を着用者に与えることになり、該パンツの着用者は下半身に加わる前記ハイパワー部のサポート力を意識して姿勢をコントロールすることにより体形を補正できることを要旨としている。
【００１２】
また、本発明は、経編みや丸編みその他、殊にはラッセル編み機による経編みを用いてその経編の切り替えしにより左身頃と右身頃の縫合部を一体成型され、或いは左身頃と右身頃の縫合部を縫製により一体形状に形成して腰部近傍から下半身の一部をカバーして股部を有しており股下部と膝頭にかけての中間位置まで、または足首までの下半身に密着して着用する伸縮性生地からなるパンツにおいて、
該一体成型、或いは一体形状に構成されたパンツは伸縮性生地の伸度が強いハイパワー部を有する生地と、伸縮性生地の伸度が弱いソフトパワー部を有する生地部にて必要部位を製作されていると共に左身頃と右身頃の生地を編みの切り替えしにより一体成型、或いは縫製にて一体形状に構成し、該伸度が強いハイパワー部を有する生地部と伸度が弱いソフトパワー部を有する生地部は前記縫合部を中心に伸縮性生地の編み方向を左右対称としたバイアス方向に配置することで着用者に対して内旋機能を有した強いハイパワーのサポート力を発揮可能となし、また前記伸縮性生地のハイパワー部と伸縮性生地の弱いソフトパワー部は伸度の強弱差を有してパンツ着用者の下半身に加わるハイパワーのサポート力をよりはっきりと意識でき、該ハイパワー部のサポート力を意識して姿勢をコントロールすることにより体形を補正できることを要旨としている。
【００１３】
斯くして、本発明は、前記伸縮性生地の伸度が強いハイパワー部と伸縮性生地の伸度が弱いソフトパワー部にて必要部位を構成されたパンツにおいて、パンツ前面股下部から両膝頭部の略上部にかけた部分、並びにパンツ両側面股下部からそれぞれの膝頭頭部の略上部にかけた部分にそれぞれ一対のソフトパワー部を配置し、前記パンツを伸張して着用すると前記伸縮性生地のハイパワー部と伸縮性生地の弱いソフトパワー部は伸度の強弱差を有してパンツ着用者の腰部から大腿部に加わるハイパワーのサポート力をよりはっきりと意識可能となし、該ハイパワーのサポート力を意識して姿勢をコントロールすることにより体形を補正できるよう構成されていることが好ましい。
【００１４】
また、本発明は、前記伸縮性生地の伸度が強いハイパワー部と伸縮性生地の伸度が弱いソフトパワー部にて必要部位を構成されたパンツにおいて、パンツの後ろ面尻溝より上部の臀部膨らみ部の両側に一対のソフトパワー部を設け、更に、パンツ前面股下部から両膝頭部の略上部にかけた部分、並びにパンツ両側面股下部からそれぞれの膝頭頭部の略上部にかけた部分にそれぞれ一対のソフトパワー部を配置し、前記パンツを伸張して着用すると前記伸縮性生地のハイパワー部と伸縮性生地の弱いソフトパワー部は伸度の強弱差を有してパンツ着用者の腰部から大腿部に加わるハイパワーのサポート力をよりはっきりと意識可能となし、該ハイパワーのサポート力を意識して姿勢をコントロールすることにより体形を補正できるよう構成されていることが好ましい。
【００１５】
更に、本発明は、前記伸縮性を有する生地を用いて製作されるパンツは全体が伸縮性生地の伸度が強いハイパワー部と内旋機能を有する生地にて製作されるか、或いは伸縮性生地の伸度が強いハイパワー部を有する生地と伸縮性生地の伸度が弱いソフトパワー部とからなる内旋機能を有する生地にて構成されると共に、該パンツを構成する生地が左身頃と右身頃の生地とパンツ前部に位置する逆三角形の腹部からなる３枚の生地を縫製にて一体形状に構成し、前記３枚の生地の内、パンツ前部に位置する逆三角形の腹部は横方向に伸びにくい伸度の強い生地にて  構成されていることが好ましい。
【００１６】
更にまた、本発明は、前記伸縮性を有する生地を用いて製作されるパンツの裾端部の形状は切りっぱなしのフラット形状となし、更に編み密度を変えた切替により裾部の締め付け防止と巻き上がり防止機能を併せ持っていることが好ましい。
【００１７】
そして、本発明において前記伸縮性を有する生地はナイロン、ポリエステル、ポリウレタンの混紡でできた吸汗糸であることが好ましい。
【発明の効果】
【００１８】
而して、本発明は、上述した課題の解決手段を用いることにより、ライフスタイルの中で、例えば、朝から晩まで長時間に亘って着用でき、また、着用することにより、腰部から大腿部の全体部位に必要なサポート力をかけることができ、着用者が腰部から大腿部において前記サポート力を意識して姿勢をコントロールすることにより体形を補正することのできるインナーパンツを提供することができた。
【００１９】
また、本発明におけるインナーパンツは、例えばハイパワー部とソフトパワー部からなる伸縮性生地の伸度による強弱を有しており、該伸縮性生地の伸度がハイパワー部とソフトパワー部からなる部位においてそれぞれの編み方向をバイアス方向に配置することにより、前記伸縮性生地の伸度が強いハイパワー部の部位における生地配置の方向において内旋機能を保有して、着用者が下半身部の必要部位で内旋機能を有したハイパワーのサポート力をよりはっきりと意識して姿勢をコントロールすることにより体形を補正することが可能なインナーパンツを提供することができた。
【００２０】
更に、本発明のインナーパンツは、経編みや丸編みその他、殊にはラッセル編み機による経編みを用いてその経編の切り替えしにより左身頃と右身頃の縫合部を一体成型され、或いは左身頃と右身頃の縫合部を縫製により一体形状に形成して腰部近傍から下半身の一部をカバーして股部有しており股下部と膝頭に掛けての中間位置まで、または足首までの下半身に密着して着用する伸縮性生地からなるパンツを製作することにより、腰部から大腿部の必要部位にハイパワー部とソフトパワー部からなる部分的な伸度の強弱を保有し、且つ該パワーの強弱配分にて窮屈で苦しいパンツ全体の締め付け感をなくして内旋機能を有したハイパワーのサポート力を着用者にかけることができた。
【００２１】
そして、本発明は、腰部から大腿部のサポート力を長時間にわたって楽に意識することが可能で、該サポート力を意識して本発明は姿勢をコントロールすることにより体形を補正することのできるインナーパンツを提供することができた。
【発明を実施するための最良の形態】
【００２２】
本発明は、経編みや丸編みその他、殊にはラッセル編み機による経編みを用いてその経編の切り替えしにより左身頃と右身頃の縫合部を一体成型され、或いは左身頃と右身頃の縫合部を縫製により一体形状に形成して腰部近傍から下半身の一部をカバーして股部を有しており股下部と膝頭にかけての中間位置まで、または足首までの下半身に密着して着用する伸縮性生地からなるパンツにおいて、該パンツは全体が伸縮性生地の伸度が強いハイパワー部を有する生地にて製作されていると共に左身頃と右身頃の生地を編みの切り替えしにより一体成型、或いは縫製にて一体形状に構成しているものである。
【００２３】
そして、上記実施例において、一体成型、或いは一体形状に構成されたパンツ全体は前記縫合部を中心に伸縮性生地の編み方向を左右対称としたバイアス方向に配置することで着用者に対して内旋機能を有した強いハイパワーのサポート力を発揮可能となし、前記パンツを伸張して着用するとパンツを構成する伸縮性生地は内旋機能を有した強いハイパワーのサポート力を着用者に与えることになり、
該パンツの着用者は下半身に加わる前記ハイパワー部のサポート力を意識して姿勢をコントロールすることにより体形を補正できるように構成しているものである。
【００２４】
また、経編みや丸編みその他、殊にはラッセル編み機による経編みを用いてその経編の切り替えしにより左身頃と右身頃の縫合部を一体成型され、或いは左身頃と右身頃の縫合部を縫製により一体形状に形成して腰部近傍から下半身の一部をカバーして股部を有しており股下部と膝頭にかけての中間位置まで、または足首までの下半身に密着して着用する伸縮性生地からなるパンツにおいて、該一体成型、或いは一体形状に構成されたパンツは伸縮性生地の伸度が強いハイパワー部を有する生地と、伸縮性生地の伸度が弱いソフトパワー部を有する生地部にて必要部位を製作されていると共に左身頃と右身頃の生地を編みの切り替えしにより一体成型、或いは縫製にて一体形状に構成している。
【００２５】
そして、上記実施例において、一体成型、或いは一体形状に構成されたパンツは伸縮性生地の伸度が強いハイパワー部を有する生地と、伸縮性生地の伸度が弱いソフトパワー部を有する生地部にて必要部位を製作されていると共に左身頃と右身頃の生地を編みの切り替えしにより一体成型、或いは縫製にて一体形状に構成し、該伸度が強いハイパワー部を有する生地部と伸度が弱いソフトパワー部を有する生地部は前記縫合部を中心に伸縮性生地の編み方向を左右対称としたバイアス方向に配置することで着用者に対して内旋機能を有した強いハイパワーのサポート力を発揮可能となし、また前記伸縮性生地のハイパワー部と伸縮性生地の弱いソフトパワー部は伸度の強弱差を有してパンツ着用者の下半身に加わるハイパワーのサポート力をよりはっきりと意識でき、該ハイパワー部のサポート力を意識して姿勢をコントロールすることにより体形を補正できる構成を有しているものである。
【００２６】
斯くして、ここでは、以下に本発明の実施に際しての補足的説明や、本明細書中の用語の説明を述べておきたい。
【００２７】
「インナーパンツ」
本発明において、「インナーパンツ」とは、インナーパンツやアウターパンツ、スパッツ型水着等を含む下衣のことであり、この内、インナーパンツは、少なくとも腰部近傍から下半身をカバーして股部有しており股下部と膝頭にかけての中間位置まで、或いは足首までの下半身を覆う下衣を示しており、前記アウターパンツは、同様に腰部近傍から下半身をカバーして股部有しており股下部と膝頭にかけての中間位置まで、或いは足首までの下半身を覆い体にフィットするタイツ、スパッツ、スパッツ型水着等を含んでいる。
【００２８】
「縫製」
本発明において、「縫製」とは、インナーパンツを製作するにあたり一般的に用いられている縫着、接着、貼着、溶着、プリント等による一体形状の形成手法を広く含むものであるが、編みの切り替えし手法、即ち無縫製（ダブルラッセル）による一体成型とは異なる手法であるので、前記縫製と無縫製は区別して説明している。
【００２９】
「バイアス」
本発明において、「バイアス」とは、それぞれの裁ち目を正布位置として長手方向にとった伸縮性生地部を意味している。
【００３０】
「伸縮性生地の伸度」
本発明において、「伸縮性生地の伸度」とは、生地自体の最大伸度とは関係なく、一般的に云って本発明のパンツにおいては、生地に対して２０％〜６０％伸ばされた状態で着用する、という前提での設計がなされている。前記設計において、本発明では、ハイパワーの伸度と、ソフトパワーの伸度を必要とするが、ハイパワーの伸度とは、ＪＩＳ  Ｌ  １０１８のＢ法（定荷重法）において、０．５Ｋｇ荷重時での伸長率は経１２％〜１８％、緯１１０％〜１３０％の範囲内であることが必要とされ、ソフトパワーの伸度は、同じＪＩＳのＢ法において、０．５Ｋｇ荷重時での伸長率が緯１５％〜２１％、緯２１０％〜２７０％の範囲内であることが必要とされている。
【００３１】
「内旋機能」
本発明において、「内旋機能」とは、運動機能のメカニズムを解説する種々の動き、即ち、内転機能、外転機能、内旋機能、外旋機能のうちの一部を示しており、そのメカニズムを発揮するには、本発明の請求項１乃至２の構成が必要となる。
【００３２】
本発明において、内旋機能とは体肢の長軸を軸とする運動機能を有するものであって、体肢の長軸を軸として足の先が内側に回転する運動機能をいう。そして、参考までに体肢の長軸を軸として足の先が外側に回転する運動機能を外旋機能という。
【００３３】
これに対して内転または外転機能とは、体軸に近づける運動（内転）、逆に遠ざける運動（外転）を云うもので、換言すれば、内または、外に閉じる、開くと云う単純運動である。
【００３４】
そして、本発明における内旋機能とは、一般的に云うところの内転機能とは体肢の長軸を軸芯として回転するか否かの点で全く異なるものであり、当該説明は、図１を参照すれば、より明快に理解できるものである。
【００３５】
斯くして、図２乃至図５は、理想の姿勢を認識して姿勢をコントロールすることにより体形を補正することを着用者に知らしめるためのメカニズムを説明するものであり、図２乃至図５は、上述した内旋機能を有するメカニズム例を説明する。
【００３６】
図２乃至図５において、１はパンツのハイパワー部を構成する伸縮性生地の一部、２は生地のバイアス方向を示す矢印、３ａ、３ｂは伸縮性生地への引張り力、４は伸縮性生地が引張られて変形した平行四辺形、５は伸縮性生地の縫製部、６は縫いつけて製作された円筒状体、７ｂは着用者が着用後に自己補正する場合の方向を示している。  
【００３７】
図２において、１はパンツのハイパワー部を構成する伸縮性生地の一部を示しており、該ハイパワー部を構成する伸縮性生地１には生地のバイアス方向を示す矢印２が便宜上マーキングされている。
【００３８】
図２に示すハイパワー部を構成する伸縮性生地１の伸度は、バイアス方向２において経伸び（縦伸び）が少なく緯伸び（横伸び）が多い構成を有して、およそ経伸びが０．５Ｋｇ荷重時での伸長率が経１２％〜１８％、緯伸びが０．５Ｋｇ荷重時での伸長率が緯１１０％〜１３０％の範囲内を有している。
【００３９】
図３は、図２に示すハイパワー部を構成する伸縮性生地１を両側から引張り力３ａ、３ｂにて引張っている状態を示している。そして、ハイパワー部を構成する伸縮性生地１は、バイアス方向を示す矢印２方向において縦伸びが少なく横伸びが多い構成を有していることから、図３の如く平行四辺形４に伸びることになる。
【００４０】
図４は、図３の状態で平行四辺形４に伸びたハイパワー部を構成する伸縮性生地１の両端を縫製部５で縫いつけて円筒状体６となして、ちょうど本発明のパンツ着用者の如く、股下大腿部左足に着用したと想定すると、矢印７ｂの方向に自己補正をすることが必要となり、自己補正した結果、図５の矢印Ｙ方向に捻じれ力が発生する。
【００４１】
従って、図５に示す円筒状体６の伸縮性生地１は、股下大腿部左足に着用後、該生地のバイアス方向にスパイラル形状の捻じれ力７ａ、７ｂとなり、例えば、着用者自己の手で縫製部５を垂直方向に戻そうと自己補正（７ｂの方向）し、図５の矢印Ｙ方向に捻じれ力が発生し、前記股下大腿部左足に内旋機能のサポート力を与えることになる。
【実施例１】
【００４２】
本明細書において、実施例１〜３は本発明の参考例となるものである。図６及び図７は本発明の実施例１の説明図であり、該図６及び図７において、図６は実施例１のパンツ外観形状を示す説明図で、その内、図６ａは正面図（ウェア前面を示す）、図６ｂは左側面図（ウェア右側面図は対称のため省略）、図６ｃは背面図（ウェア後ろ面を示す）を示しており、図７は図６に示す実施例１のパンツを人が着用した状態を示す説明図で、その内、図７ａは正面図、図７ｂは左側面図、図７ｃは背面図を示している。
【００４３】
図６及び図７において、８はパンツ本体、９ａはパンツの左身頃、９ｂはパンツの右身頃、１０はパンツの上端部位置となる腰部、１１は股下部、１２はパンツの両脚部を構成する裾部、１３は膝頭（パンツ着用時）、１４は臀部膨らみ部、1５は体軸前面部中心線、１６は臀部中心線、１７は尻溝位置（想像線）をそれぞれ示している。
【００４４】
実施例１は、パンツ本体８を経編みや丸編みその他、殊にはラッセル編み機による経編みを用いてその経編の切り替えしにより左身頃９ａと右身頃９ｂの二枚の生地に製作し、該左身頃９ａと右身頃９ｂから成る二枚の生地を体軸前面中心線１５、並びに臀部中心線１６の位置、即ち縫合部で無縫製（ダブルラッセル）とすることにより、パンツ本体８を一体成型に構成している。
尚、実施例１では、パンツ本体８を無縫製にて一体成型形状に構成しているが、他の実施例では、パンツ本体８を縫製により一体形状に構成することも可能である。
【００４５】
そして、前記一体成型されたパンツ本体８は、少なくとも腰部１０近傍から下半身の一部をカバーして股部を有しており股下部１１と膝頭１３に掛けての中間位置までの下半身に密着して着用できるものであり、該パンツ本体８は、全体が伸縮性生地の伸度が強いハイパワー部１８を有する生地にて製作されていることを特徴としている。
【００４６】
斯くして、パンツ本体８の生地全体は、前記無縫製による縫合部、即ち、体軸前面中心線１５、並びに背面では臀部中心線１６の位置を境にして伸縮性生地の編み方向を左右対称となし、該編み方向は矢印１９、１９の如くバイアス方向に設定して配置されている。
【００４７】
前記編み方向は矢印１９、１９の如くバイアス方向となし、伸縮性生地の編み方向をバイアスにとることで着用者に対して内旋機能を有した伸度の強いハイパワー部１８を構成しており、該ハイパワー部１８の伸度が内旋機能を有した強いハイパワーのサポート力として発揮できる構成となっている。
【００４８】
従って、図７ａ、図７ｂ、図７ｃに示す如く、前記パンツ本体８を伸張して着用すると、該パンツ本体８の全体を構成する伸縮性生地の伸度が強いハイパワー部１８は、バイアス方向の矢印１９、１９に設定して配置されることで生じる内旋機能により、着用者が下半身部の必要部位においてハイパワー部１８におけるスパイラル形状のサポート力として意識できるので、パンツ本体８の着用者は前記スパイラル形状のサポート力を意識して姿勢をコントロールすることにより体形を補正することができるものである。
【００４９】
また、本発明の要旨では、ハイパワー部１８によりスパイラルの捻じれ力を着用者が意識できるパンツ本体８を得ることが重要で、この点に鑑みると、実施例１では、左身頃９ａと右身頃９ｂから成る二枚の生地を体軸前面中心線１５、並びに臀部中心線１６の位置で無縫製（ダブルラッセル）とすることも好ましい実施例となる。
【００５０】
更に、本発明の実施例１においては、図６または図７に示す如く、前記伸縮性を有する生地を用いて製作されるパンツ本体８の裾部１２の端部形状は切りっぱなしのフラット形状となし、更に編み密度を変えた切替により裾部１２の締め付け防止と巻き上がり防止機能を併せ持っている。
【００５１】
そして、前記伸縮性を有する生地を用いて製作されるパンツ本体８の生地は、ナイロン、ポリエステル、ポリウレタンの混紡でできた吸汗糸で構成されている。
尚、実施例１では、パンツ本体８の形状は少なくとも腰部１０近傍から下半身の一部をカバーして股部を有しており股下部１１と膝頭１３に掛けての中間位置までとしているが、本発明の他の実施例では、足首までの長さを有して下半身を覆う形でも良い。
【実施例２】
【００５２】
図８及び図９は本発明の実施例２の説明図であり、図８は実施例２のパンツ外観形状を示す説明図で、その内、図８ａは正面図（ウェア前面を示す）、図８ｂは左側面図（ウェア右側面図は対称のため省略）、図８ｃは背面図（ウェア後ろ面を示す）を示しており、図９は図８に示す実施例２のパンツを人が着用した状態を示す説明図で、その内、図９ａは正面図、図９ｂは左側面図、図９ｃは背面図を示している。
【００５３】
図８及び図９において、８はパンツ本体、９ａはパンツの左身頃、９ｂはパンツの右身頃、１０はパンツの上端部位置となる腰部、１１は股下部、１２はパンツの両脚部を構成する裾部、１３は膝頭（パンツ着用時）、１４は臀部膨らみ部、15は体軸前面部中心線、１６は臀部中心線、１７は尻溝位置（想像線）をそれぞれ示している。
【００５４】
実施例２は、パンツ本体８を経編みや丸編みその他、殊にはラッセル編み機による経編みを用いてその経編の切り替えしにより左身頃９ａと右身頃９ｂの二枚の生地に製作し、該左身頃９ａと右身頃９ｂから成る二枚の生地を縫合部、即ち体軸前面中心線１５、並びに臀部中心線１６の位置で無縫製（ダブルラッセル）とすることにより、パンツ本体８を一体成型に構成している。
【００５５】
そして、上記パンツ本体８は少なくとも腰部１０近傍から下半身の一部をカバーして股部を有しており股下部１１と膝頭１３にかけての中間位置までの下半身に図９の如く密着して着用される伸縮性生地からなるパンツである。
【００５６】
斯くして、実施例２におけるパンツ本体８は、伸縮性生地の伸度の強い生地にて、ハイパワー部１８が形成され、該ハイパワー部１８の伸縮性生地に比較して、その伸度が弱く着用時に気にならない伸度を有するソフトパワー部２０が、パンツの後ろ面尻溝位置１６より上部の臀部膨らみ部１４の両側に一対のソフトパワー部２０、２０として設けられている。
【００５７】
また、ソフトパワー部２０はパンツ本体８の前面における股下部１１から両膝頭部１３の略上部にかけた部分にも一対設けられており、更にパンツ本体３の両側面における股下部１１からそれぞれの膝頭頭部１３の略上部にかけた部分にもそれぞれ一対のソフトパワー部２０が配置されている。
【００５８】
次に、本発明の重要な構成要件として、前記ハイパワー部１８とソフトパワー部２０からなる生地部の部位はそれぞれの編み方向を矢印１９の如くバイアス方向に設定した配置がされていることである。
【００５９】
そして、前記パンツ本体８は伸縮性生地部に配置されたハイパワー部１８とソフトパワー部２０からなる部位の強弱のパワー差を有すると共に、伸縮性生地の伸度が強いハイパワー部１８の部位においてバイアス方向の矢印１９に設定して配置されることで生じる内旋機能により図９の如く着用者が下半身部の必要部位においてハイパワー部１８のスパイラル形状のねじり力を着圧による内旋方向のサポート力として意識できるように構成され、パンツ本体８の着用者は前記サポート力を意識して姿勢をコントロールすることにより体形を補正することができるものである。
【００６０】
また、本発明の実施例２においては、図８並びに図９に示す如く、前記伸縮性を有する生地を用いて製作されるパンツ本体８の裾部１２の端部形状は切りっぱなしのフラット形状となし、更に編み密度を変えた切替により裾部１２の締め付け防止と巻き上がり防止機能を併せ持っている。
【００６１】
そして、前記伸縮性を有する生地を用いて製作されるパンツ本体８の生地は、ナイロン、ポリエステル、ポリウレタンの混紡でできた吸汗糸で構成されていることは、実施例１と同様のことである。
【００６２】
尚、実施例２においては、伸縮性生地の伸度が弱いソフトパワー部２０の配置をパンツの後ろ面尻溝位置１６より上部の臀部膨らみ部１４の両側に一対、また、パンツ本体８の前面における股下部１１から両膝頭部１３の略上部にかけた部分に一対、更にパンツ本体３の両側面における股下部１１からそれぞれの膝頭頭部１３の略上部にかけた部分にそれぞれ一対設けている。
【００６３】
然しながら、当該ソフトパワー部２０は、パンツ本体８の前面における股下部１１から両膝頭部１３の略上部にかけた部分に一対、そして、パンツ本体３の両側面における股下部１１からそれぞれの膝頭頭部１３の略上部にかけた部分にそれぞれ一対設けることでも充分に当初の効果が得られるものである。
【実施例３】
【００６４】
図１０は本発明の実施例３の説明図であり、図１０は実施例３のパンツを着用した状態を示す説明図で、その内、図１０ａは正面図（ウェア前面を示す）、図１０ｂは左側面図（ウェア右側面図は対称のために省略）、図１０ｃは背面図（ウェア後ろ面を示す）を示している。
【００６５】
図１０において、８はパンツ本体、９ａはパンツの左身頃、９ｂはパンツの右身頃、１０はパンツの上端部位置となる腰部、１１は股下部、１２はパンツの両脚部を構成する裾部、１３は膝頭（パンツ着用時）、１４は臀部膨らみ部、15は体軸前面部中心線、１６は臀部中心線、１７は尻溝位置（想像線）、１８は伸縮性生地の伸度が強いハイパワー部、１９はバイアス方向を示す矢印、２０は伸縮性生地の伸度が弱いソフトパワー部、２１はパンツ前部に位置する逆三角形の腹部をそれぞれ示している。
【００６６】
而して、実施例３は伸縮性生地の伸度が強いハイパワー部１８を有する生地と伸縮性生地の伸度が弱いソフトパワー部２０とからなる内旋機能を有する生地にて構成されると共に、該パンツ本体３を構成する生地が左身頃９ａと右身頃９ｂの生地とパンツ前部に位置する逆三角形の腹部２１からなる３枚の生地を縫製にて一体形状に構成し、前記３枚の生地の内、パンツ前部に位置する逆三角形の腹部２１は横方向に伸びにくい伸度の強い生地にて構成され、パンツ本体８は少なくとも腰部１０近傍から下半身の一部をカバーして股部を有しており股下部１１と膝頭１３に掛けての中間位置までの下半身に図１０の如く密着して着用される伸縮性生地からなるパンツである。
【００６７】
そして、伸縮性生地の内、伸縮性生地の伸度が強い生地において、ハイパワー部１８が形成され、該ハイパワー部１８の伸縮性生地に比較して、その伸度が弱く着用時に気にならない伸度を有するソフトパワー部２０が、パンツの後ろ面尻溝位置１６より上部の臀部膨らみ部１４の両側に一対のソフトパワー部２０、２０として設けられている。
【００６８】
また、ソフトパワー部２０はパンツ本体８の前面における股下部１１から両膝頭部１３の略上部にかけた部分にも一対設けられており、更にパンツ本体３両側面における股下部１１からそれぞれの膝頭頭部１３の略上部にかけた部分にもそれぞれ一対のソフトパワー部２０が配置されている。
【００６９】
尚、パンツ前部に位置する逆三角形の腹部２１は、本発明の要旨には関係なく、パンツ本体８を構成する生地であってもよい。
【００７０】
斯くして、本発明のパンツ本体８は少なくとも腰部１０近傍から下半身の一部をカバーして股部を有しており股下部１１と膝頭１３に掛けての中間位置までの下半身に密着して着用される伸縮性生地からなるパンツで、伸縮性生地の伸度がハイパワー部１８とソフトパワー部２０なる生地部と、パンツ前部に位置する逆三角形の腹部２１の如く補助用生地部から構成されている。
【００７１】
次に、本発明の重要な構成要件として、前記ハイパワー部１８とソフトパワー部２０なる生地部の部位はそれぞれの編み方向を矢印１９の如くバイアス方向を設定した配置とされていることである。
【００７２】
そして、前記パンツ本体８は伸縮性生地部に配置されたハイパワー部１８とソフトパワー部２０からなる部位の強弱のパワー差を有すると共に、伸縮性生地の伸度が強いハイパワー部１８の部位においてバイアス方向の矢印１９に設定して配置されることで生じる内旋機能により、図１０の如く着用者が下半身部の必要部位において伸縮性生地のハイパワー部１８が有するスパイラル形状のねじり力を着圧による内旋機能のサポート力として意識できる構成で、該内旋機能のサポート力を着用者が意識して姿勢をコントロールすることにより体形を補正することができるものである。
【００７３】
尚、実施例３に付随する他の実施例においては、伸縮性を有する生地を用いて製作されるパンツ本体８を全体が伸縮性生地の伸度が強いハイパワー部１８と内旋機能を有する生地にて製作することや、パンツ本体８を製作するために、縫合部を無縫製（ダブルラッセル）にすること、更には、パンツ本体８の裾形状の仕様、並びにパンツ生地の素材は、実施例１や実施例２と同様とすることが可能である。
【００７４】
また、本発明においては、パンツ本体８を構成する伸縮性生地のバイアス方向を変えることで、外旋機能を有したハイパワーのサポート力を発揮できるようにすることも他の実施例として可能である。
【産業上の利用可能性】
【００７５】
而して、本発明は、ライフスタイルの中で、例えば、朝から晩まで長時間に亘って着用でき、また、着用することにより、腰部から大腿部の全体部位に必要なサポート力をかけることができ、着用者が腰部から大腿部において前記サポート力を意識して姿勢をコントロールすることにより体形を補正することのできるインナーパンツを提供するものである。
【００７６】
また、本発明におけるインナーパンツは、例えばハイパワー部とソフトパワー部からなる伸縮性生地の伸度による強弱を有しており、該伸縮性生地の伸度がハイパワー部とソフトパワー部からなる部位においてそれぞれの編み方向をバイアス方向に配置することにより、前記伸縮性生地の伸度が強いハイパワー部の部位における生地配置の方向において内旋機能を保有して、着用者が下半身部の必要部位で内旋機能を有したハイパワーのサポート力をよりはっきりと意識して姿勢をコントロールすることにより体形を補正することが可能なインナーパンツを提供するものである。
【００７７】
更に、本発明のインナーパンツは、経編みや丸編みその他、殊にはラッセル編み機による経編みを用いてその経編の切り替えしにより左身頃と右身頃の縫合部を一体成型され、或いは左身頃と右身頃の縫合部を縫製により一体形状に形成して腰部近傍から下半身の一部をカバーして股部を有しており股下部と膝頭にかけての中間位置まで、または足首までの下半身に密着して着用する伸縮性生地からなるパンツを製作することにより、腰部から大腿部の必要部位にハイパワー部とソフトパワー部からなる部分的な伸度の強弱を保有し、且つ該パワーの強弱配分にて窮屈で苦しいパンツ全体の締め付け感をなくして内旋機能を有したハイパワーのサポート力を着用者にかけることができるもので産業上の利用価値は多大なものがある。
【図面の簡単な説明】
【００７８】
【図１】旋回機能、内旋機能または外旋機能の説明図である（「スポーツ・バイオメカニック入門」金子公宥著、２００１）。          尚、体軸及び体肢の長軸を示す破線は、理解を容易とするために出願人において挿入したものである。
【図２】本発明の実施の形態で体形を補正することを着用者に認識させるためのメカニズム説明図、その１である。
【図３】本発明の実施の形態で体形を補正することを着用者に認識させるためのメカニズム説明図、その２（生地を引張っている状態を示す）である。
【図４】本発明の実施の形態で体形を補正することを着用者に認識させるためのメカニズム説明図、その３である。
【図５】本発明の実施の形態で体形を補正することを着用者に認識させるためのメカニズム説明図、その４である。
【図６ａ】本発明の実施例１を説明する正面図である。
【図６ｂ】本発明の実施例１を説明する左側面図である。
【図６ｃ】本発明の実施例１を説明する背面図である。
【図７ａ】本発明の実施例１を着用した状態を示す正面図である。
【図７ｂ】本発明の実施例１を着用した状態を示す左側面図である。
【図７ｃ】本発明の実施例１を着用した状態を示す背面図である。
【図８ａ】本発明の実施例２を説明する正面図である。
【図８ｂ】本発明の実施例２を説明する左側面図である。
【図８ｃ】本発明の実施例２を説明する背面図である。
【図９ａ】本発明の実施例２を着用した状態を示す正面図である。
【図９ｂ】本発明の実施例２を着用した状態を示す左側面図である。
【図９ｃ】本発明の実施例２を着用した状態を示す背面図である。
【図１０ａ】本発明の実施例３を着用した状態を示す正面図である。
【図１０ｂ】本発明の実施例３を着用した状態を示す左側面図である。
【図１０ｃ】本発明の実施例３を着用した状態を示す背面図である。
【符号の説明】
【００７９】
１  ハイパワー部を構成する伸縮性生地
２  生地のバイアス方向を示す矢印
３ａ、３ｂ  伸縮性生地への引張り力
４  伸縮性生地が引張られて変形した菱型
５  縫製部
６  円筒状体
７ａ、７ｂ  自己補正の方向
８  パンツ本体
９ａ  パンツの左身頃
９ｂ  パンツの右身頃
１０  腰部
１１  股下部
１２  裾部
１３  膝頭
１４  臀部膨らみ部
１５  体軸前面部中心線
１６  臀部中心線
１７  尻溝位置
１８  ハイパワー部
１９  バイアス方向を示す矢印（編み方向矢印）
２０  ソフトパワー部
２１  腹部
Ｓ１  体軸
Ｓ２  体肢の長軸
Ｙ  矢印(図５における)  捻じれ力
【図１】
0004833231.tif 000002
【図２】
0004833231.tif 000003
【図３】
0004833231.tif 000004
【図４】
0004833231.tif 000005
【図５】
0004833231.tif 000006
【図６】
0004833231.tif 000007
【図７】
0004833231.tif 000008
【図８】
0004833231.tif 000009
【図９】
0004833231.tif 000010
【図１０】
0004833231.tif 000011